(57)【特許請求の範囲】
【請求項１】
基台を含み、前記基台の下端面の左右両端には固定ブロックが前後対称的に、且つ固定的に設置され、前後両側の前記固定ブロックの間には回転ブロックが回転できるように設置され、前記回転ブロックの下端には支持板が固定的に設置され、前記支持板の相対した片側端面の上端には引きロッドが前後対称的にヒンジで連結され、前記基台の中には制御装置が設置され、前記引きロッドの上端が前記制御装置に連結され、前記制御装置は前記引きロッドを通じて前記支持板の下端が互いに離れる方向に反転することを制御し、前記支持板の中には挟み装置が設置され、前記挟み装置の中には突き出しロッドと挟み板とが設置され、まず前記支持板の下端を両側へ広げ、次に本装置を移動させ、オイル缶を前記挟み板の間に位置させ、前記制御装置は前記引きロッドを通じて前記支持板を引き動かして鉛直状態に戻らせ、前記突き出しロッドはオイル缶の外円面の上端の凸起部に当接でき、前記挟み板はオイル缶の外円面の左右両側をきつく挟め、且つオイル缶を持ち上げ、前記支持板の下側には調節板が設置され、前記調節板の中には支持装置が設置され、前記支持装置の中にはパレットが設置され、前記パレットが前記挟み板に伝動できるように連結され、前記挟み板がオイル缶をきつく挟む時、前記パレットをオイル缶の下方へ相対に移動連動させ、前記調節板と前記支持板との中の前後両側には昇降装置が設置され、前記昇降装置は前記支持板の下降を制御でき、オイル缶を前記パレットに落とすことを特徴とするオイル缶の運搬用固定治具及び運搬装置。
【請求項２】
前記制御装置は前記基台の中に左右対称的に設置された平行移動空間を含み、前記平行移動空間の間の内壁の中には制御モーターが固定的に設置され、前記制御モーターの左右両端には平行移動スクリューが対称的に、且つ伝動できるように連結され、前記平行移動空間の中には前記平行移動スクリューにネジ山によって連結された平行移動板がスライドできるように設置され、前記平行移動空間の下壁には下方に開口した移動ガイド溝が前後対称的に、且つ連通するように形成され、前記移動ガイド溝の中には前記平行移動板の下端面に固定的に連結された移動ガイドブロックが左右にスライドできるように設置され、前記引きロッドの上端が同じ側の前記移動ガイドブロックの下端にヒンジで連結されていることを特徴とする請求項１に記載のオイル缶の運搬用固定治具及び運搬装置。
【請求項３】
前記挟み装置は前記支持板の中に設置され、且つ対向に開口した突き出しロッド空間を含み、前記突き出しロッドが前記突き出しロッド空間の中にスライドできるように設置され、前記突き出しロッドのうち対称中心から離れている一端と前記突き出しロッド空間の内壁との間には第一ばねが固定的に連結され、前記突き出しロッド空間の下側には対称中心に向いて開口したスライドロッド空間が設置され、前記スライドロッド空間の中にはスライドロッドがスライドできるように設置され、前記挟み板が前記スライドロッドのうち対称中心に近接した一端に固定的に連結され、前記スライドロッドのうち対称中心から離れている一端と前記スライドロッド空間の内壁との間には第二ばねが固定的に連結されていることを特徴とする請求項１に記載のオイル缶の運搬用固定治具及び運搬装置。
【請求項４】
前記スライドロッドの下端面の中には主動ラックが固定的に設置され、前記スライドロッド空間の下側には第一平歯車空間が連通するように設置され、前記第一平歯車空間の中には前記主動ラックの下端に噛み合った第一平歯車が回転できるように設置され、前記第一平歯車空間の前側には傘歯車空間が設置され、前記傘歯車空間の後壁には前記第一平歯車に固定的に連結された主動傘歯車が回転できるように設置され、前記傘歯車空間の下壁には前記主動傘歯車に噛み合った従動傘歯車が回転できるように設置され、前記従動傘歯車の軸心にはスプライン軸が固定的に設置されていることを特徴とする請求項３に記載のオイル缶の運搬用固定治具及び運搬装置。
【請求項５】
前記支持装置は前記調節板の中に左右に貫通するように設置されたパレット空間を含み、前記パレットが前記パレット空間の中に左右にスライドできるように設置され、前記パレットの前端面の中には従動ラックが固定的に設置され、前記パレット空間の前側には第二平歯車空間が設置され、前記第二平歯車空間の中には前記従動ラックの前端に噛み合った第二平歯車が回転できるように設置され、前記第二平歯車の軸心にはソケットが固定的に設置され、前記ソケットの上端が外部空間に伸び、前記スプライン軸の下端が前記ソケットの中に伸びて前記ソケットとスプラインによって連結されていることを特徴とする請求項４に記載のオイル缶の運搬用固定治具及び運搬装置。
【請求項６】
前記昇降装置は前記支持板の中の上側に設置された鎖歯車空間を含み、前記鎖歯車空間の下壁には鎖歯車が前後対称的に、且つ回転できるように設置され、前記鎖歯車の間にはチェーンが巻き付くように設置され、前記鎖歯車の軸心には昇降スクリューが固定的に設置され、前記昇降スクリューの下端が前記支持板の下端から伸びて前記調節板にネジ山によって連結されていることを特徴とする請求項１に記載のオイル缶の運搬用固定治具及び運搬装置。
【請求項７】
前記鎖歯車空間の上壁の中の後端には昇降モーターが固定的に設置され、後側の前記鎖歯車が前記昇降モーターの下端に伝動できるように連結されていることを特徴とする請求項６に記載のオイル缶の運搬用固定治具及び運搬装置。
【請求項８】
前記調節板の中の下端にはころ軸受が前後に貫通するように、且つ回転できるように設置され、前記ころ軸受の前後両端にはローラーが対称的に、且つ固定的に設置されていることを特徴とする請求項１に記載のオイル缶の運搬用固定治具及び運搬装置。
【発明の詳細な説明】
【技術分野】
【０００１】
本発明はオイル缶の運搬技術分野に関わり、具体的にはオイル缶の運搬用固定治具及び運搬装置である。
【背景技術】
【０００２】
オイル缶を運搬する過程において、一般的に人の力で運搬するのである。しかし現有のオイル缶の運搬装置はオイル缶を挟んで運搬装置に置く時に人の力が必要であり、また、オイル缶を挟むのは不安定であるため、オイル缶を壊して作業員を傷つけやすく、そして運搬する過程にも人の力で支持する必要があり、それで大きな人の力が不可欠である。本発明は上記の問題を解決できる装置を開示する。
【先行技術文献】
【特許文献】
【０００３】
【特許文献１】中国特許出願公開第１０９５３１４５８号明細書
【発明の概要】
【発明が解決しようとする課題】
【０００４】
技術問題：
オイル缶を運搬するのは人の力で運搬するのであり、現有の運搬装置は依然として大きな人の力が必要であり、且つ安定性が低い。
【課題を解決するための手段】
【０００５】
上記の問題を解決するため、本発明はオイル缶の運搬用固定治具及び運搬装置をデザインし、本発明に記載されたオイル缶の運搬用固定治具及び運搬装置は、基台を含み、前記基台の下端面の左右両端には固定ブロックが前後対称的に、且つ固定的に設置され、前後両側の前記固定ブロックの間には回転ブロックが回転できるように設置され、前記回転ブロックの下端には支持板が固定的に設置され、前記支持板の相対した片側端面の上端には引きロッドが前後対称的にヒンジで連結され、前記基台の中には制御装置が設置され、前記引きロッドの上端が前記制御装置に連結され、前記制御装置は前記引きロッドを通じて前記支持板の下端が互いに離れる方向に反転することを制御し、前記支持板の中には挟み装置が設置され、前記挟み装置の中には突き出しロッドと挟み板とが設置され、まず前記支持板の下端を両側へ広げ、次に本装置を移動させ、オイル缶を前記挟み板の間に位置させ、前記制御装置は前記引きロッドを通じて前記支持板を引き動かして鉛直状態に戻らせ、前記突き出しロッドはオイル缶の外円面の上端の凸起部に当接でき、前記挟み板はオイル缶の外円面の左右両側をきつく挟め、且つオイル缶を持ち上げ、前記支持板の下側には調節板が設置され、前記調節板の中には支持装置が設置され、前記支持装置の中にはパレットが設置され、前記パレットが前記挟み板に伝動できるように連結され、前記挟み板がオイル缶をきつく挟む時、前記パレットをオイル缶の下方へ相対に移動連動させ、前記調節板と前記支持板との中の前後両側には昇降装置が設置され、前記昇降装置は前記支持板の下降を制御でき、オイル缶を前記パレットに落とす。
【０００６】
好ましくは、前記制御装置は前記基台の中に左右対称的に設置された平行移動空間を含み、前記平行移動空間の間の内壁の中には制御モーターが固定的に設置され、前記制御モーターの左右両端には平行移動スクリューが対称的に、且つ伝動できるように連結され、前記平行移動空間の中には前記平行移動スクリューにネジ山によって連結された平行移動板がスライドできるように設置され、前記平行移動空間の下壁には下方に開口した移動ガイド溝が前後対称的に、且つ連通するように形成され、前記移動ガイド溝の中には前記平行移動板の下端面に固定的に連結された移動ガイドブロックが左右にスライドできるように設置され、前記引きロッドの上端が同じ側の前記移動ガイドブロックの下端にヒンジで連結されている。
【０００７】
好ましくは、前記挟み装置は前記支持板の中に設置され、且つ対向に開口した突き出しロッド空間を含み、前記突き出しロッドが前記突き出しロッド空間の中にスライドできるように設置され、前記突き出しロッドのうち対称中心から離れている一端と前記突き出しロッド空間の内壁との間には第一ばねが固定的に連結され、前記突き出しロッド空間の下側には対称中心に向いて開口したスライドロッド空間が設置され、前記スライドロッド空間の中にはスライドロッドがスライドできるように設置され、前記挟み板が前記スライドロッドのうち対称中心に近接した一端に固定的に連結され、前記スライドロッドのうち対称中心から離れている一端と前記スライドロッド空間の内壁との間には第二ばねが固定的に連結されている。
【０００８】
好ましくは、前記スライドロッドの下端面の中には主動ラックが固定的に設置され、前記スライドロッド空間の下側には第一平歯車空間が連通するように設置され、前記第一平歯車空間の中には前記主動ラックの下端に噛み合った第一平歯車が回転できるように設置され、前記第一平歯車空間の前側には傘歯車空間が設置され、前記傘歯車空間の後壁には前記第一平歯車に固定的に連結された主動傘歯車が回転できるように設置され、前記傘歯車空間の下壁には前記主動傘歯車に噛み合った従動傘歯車が回転できるように設置され、前記従動傘歯車の軸心にはスプライン軸が固定的に設置されている。
【０００９】
好ましくは、前記支持装置は前記調節板の中に左右に貫通するように設置されたパレット空間を含み、前記パレットが前記パレット空間の中に左右にスライドできるように設置され、前記パレットの前端面の中には従動ラックが固定的に設置され、前記パレット空間の前側には第二平歯車空間が設置され、前記第二平歯車空間の中には前記従動ラックの前端に噛み合った第二平歯車が回転できるように設置され、前記第二平歯車の軸心にはソケットが固定的に設置され、前記ソケットの上端が外部空間に伸び、前記スプライン軸の下端が前記ソケットの中に伸びて前記ソケットとスプラインによって連結されている。
【００１０】
好ましくは、前記昇降装置は前記支持板の中の上側に設置された鎖歯車空間を含み、前記鎖歯車空間の下壁には鎖歯車が前後対称的に、且つ回転できるように設置され、前記鎖歯車の間にはチェーンが巻き付くように設置され、前記鎖歯車の軸心には昇降スクリューが固定的に設置され、前記昇降スクリューの下端が前記支持板の下端から伸びて前記調節板にネジ山によって連結されている。
【００１１】
好ましくは、前記鎖歯車空間の上壁の中の後端には昇降モーターが固定的に設置され、後側の前記鎖歯車が前記昇降モーターの下端に伝動できるように連結されている。
【００１２】
好ましくは、前記調節板の中の下端にはころ軸受が前後に貫通するように、且つ回転できるように設置され、前記ころ軸受の前後両端にはローラーが対称的に、且つ固定的に設置されている。
【発明の効果】
【００１３】
本発明の有益な効果は：本発明はオイル缶を突き上げることときつく挟むことによって、オイル缶を持ち上げるのをもっと安定させられ、またオイル缶の下側を支え、運搬する過程に、オイル缶の安定性を確保し、オイル缶が意外に落ちることで壊れる又は作業員を傷つけることを避け、より安全で信頼でき、同時に四つの車輪が同期に転がるで運搬することによって、運搬過程に小さい人の力だけで本装置を押し動かすことができ、作業強度を大いに軽減する。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１はオイル缶の運搬用固定治具及び運搬装置の全体構成概略図
【図２】図２は図１の中の「Ａ―Ａ」方向の構成概略図
【図３】図３は図１の中の「Ｂ―Ｂ」方向の構成概略図
【図４】図４は図３の「Ｃ」の構成拡大概略図
【発明を実施するための形態】
【００１６】
本発明はオイル缶の運搬用固定治具及び運搬装置に関わり、主にオイル缶を運搬する過程にオイル缶を挟んで運搬する作業に応用され、下記に本発明付図を合わせて本発明にさらなる説明をする：
【００１７】
本発明に記載されたオイル缶の運搬用固定治具及び運搬装置は、基台１１を含み、前記基台１１の下端面の左右両端には固定ブロック１２が前後対称的に、且つ固定的に設置され、前後両側の前記固定ブロック１２の間には回転ブロック１３が回転できるように設置され、前記回転ブロック１３の下端には支持板１４が固定的に設置され、前記支持板１４の相対した片側端面の上端には引きロッド１５が前後対称的にヒンジで連結され、前記基台１１の中には制御装置１０１が設置され、前記引きロッド１５の上端が前記制御装置１０１に連結され、前記制御装置１０１は前記引きロッド１５を通じて前記支持板１４の下端が互いに離れる方向に反転することを制御し、前記支持板１４の中には挟み装置１０２が設置され、前記挟み装置１０２の中には突き出しロッド１６と挟み板１７とが設置され、まず前記支持板１４の下端を両側へ広げ、次に本装置を移動させ、オイル缶を前記挟み板１７の間に位置させ、前記制御装置１０１は前記引きロッド１５を通じて前記支持板１４を引き動かして鉛直状態に戻らせ、前記突き出しロッド１６はオイル缶の外円面の上端の凸起部に当接でき、前記挟み板１７はオイル缶の外円面の左右両側をきつく挟め、且つオイル缶を持ち上げ、前記支持板１４の下側には調節板１８が設置され、前記調節板１８の中には支持装置１０３が設置され、前記支持装置１０３の中にはパレット２０が設置され、前記パレット２０が前記挟み板１７に伝動できるように連結され、前記挟み板１７がオイル缶をきつく挟む時、前記パレット２０をオイル缶の下方へ相対に移動連動させ、前記調節板１８と前記支持板１４との中の前後両側には昇降装置１０４が設置され、前記昇降装置１０４は前記支持板１４の下降を制御でき、オイル缶を前記パレット２０に落とす。
【００１８】
有益なように、前記制御装置１０１は前記基台１１の中に左右対称的に設置された平行移動空間２１を含み、前記平行移動空間２１の間の内壁の中には制御モーター２２が固定的に設置され、前記制御モーター２２の左右両端には平行移動スクリュー２３が対称的に、且つ伝動できるように連結され、前記平行移動空間２１の中には前記平行移動スクリュー２３にネジ山によって連結された平行移動板２４がスライドできるように設置され、前記平行移動空間２１の下壁には下方に開口した移動ガイド溝２５が前後対称的に、且つ連通するように形成され、前記移動ガイド溝２５の中には前記平行移動板２４の下端面に固定的に連結された移動ガイドブロック２６が左右にスライドできるように設置され、前記引きロッド１５の上端が同じ側の前記移動ガイドブロック２６の下端にヒンジで連結されている。
【００１９】
有益なように、前記挟み装置１０２は前記支持板１４の中に設置され、且つ対向に開口した突き出しロッド空間２７を含み、前記突き出しロッド１６が前記突き出しロッド空間２７の中にスライドできるように設置され、前記突き出しロッド１６のうち対称中心から離れている一端と前記突き出しロッド空間２７の内壁との間には第一ばね２８が固定的に連結され、前記突き出しロッド空間２７の下側には対称中心に向いて開口したスライドロッド空間２９が設置され、前記スライドロッド空間２９の中にはスライドロッド３０がスライドできるように設置され、前記挟み板１７が前記スライドロッド３０のうち対称中心に近接した一端に固定的に連結され、前記スライドロッド３０のうち対称中心から離れている一端と前記スライドロッド空間２９の内壁との間には第二ばね５０が固定的に連結されている。
【００２０】
有益なように、前記スライドロッド３０の下端面の中には主動ラック３１が固定的に設置され、前記スライドロッド空間２９の下側には第一平歯車空間３２が連通するように設置され、前記第一平歯車空間３２の中には前記主動ラック３１の下端に噛み合った第一平歯車３３が回転できるように設置され、前記第一平歯車空間３２の前側には傘歯車空間３４が設置され、前記傘歯車空間３４の後壁には前記第一平歯車３３に固定的に連結された主動傘歯車３５が回転できるように設置され、前記傘歯車空間３４の下壁には前記主動傘歯車３５に噛み合った従動傘歯車３６が回転できるように設置され、前記従動傘歯車３６の軸心にはスプライン軸３７が固定的に設置されている。
【００２１】
有益なように、前記支持装置１０３は前記調節板１８の中に左右に貫通するように設置されたパレット空間１９を含み、前記パレット２０が前記パレット空間１９の中に左右にスライドできるように設置され、前記パレット２０の前端面の中には従動ラック３８が固定的に設置され、前記パレット空間１９の前側には第二平歯車空間３９が設置され、前記第二平歯車空間３９の中には前記従動ラック３８の前端に噛み合った第二平歯車４０が回転できるように設置され、前記第二平歯車４０の軸心にはソケット４１が固定的に設置され、前記ソケット４１の上端が外部空間に伸び、前記スプライン軸３７の下端が前記ソケット４１の中に伸びて前記ソケット４１とスプラインによって連結されている。
【００２２】
有益なように、前記昇降装置１０４は前記支持板１４の中の上側に設置された鎖歯車空間４２を含み、前記鎖歯車空間４２の下壁には鎖歯車４３が前後対称的に、且つ回転できるように設置され、前記鎖歯車４３の間にはチェーン４４が巻き付くように設置され、前記鎖歯車４３の軸心には昇降スクリュー４５が固定的に設置され、前記昇降スクリュー４５の下端が前記支持板１４の下端から伸びて前記調節板１８にネジ山によって連結されている。
【００２３】
有益なように、前記鎖歯車空間４２の上壁の中の後端には昇降モーター４６が固定的に設置され、後側の前記鎖歯車４３が前記昇降モーター４６の下端に伝動できるように連結されている。
【００２４】
有益なように、前記調節板１８の中の下端にはころ軸受４７が前後に貫通するように、且つ回転できるように設置され、前記ころ軸受４７の前後両端にはローラー４８が対称的に、且つ固定的に設置されている。
【００２５】
下記に図１〜４を合わせて本発明のオイル缶の運搬用固定治具及び運搬装置の使用ステップについて詳しく説明する：
【００２６】
初めに、平行移動板２４が互いに近接し、支持板１４が鉛直状態にあり、突き出しロッド１６が最大限に突き出しロッド空間２７から伸び、スライドロッド３０が最大限にスライドロッド空間２９から伸び、パレット２０が最大限にパレット空間１９の中に縮まる。
【００２７】
オイル缶を運搬する時に、制御モーター２２が起動して平行移動スクリュー２３を回転連動させ、ネジ山で連結することによって平行移動板２４を中心から離れる方向に移動連動させ、移動ガイドブロック２６を通じて引きロッド１５の上端を中心から離れる方向に移動連動させ、この時に引きロッド１５の下端が支持板１４の下端を対称中心から離れる方向に反転して広がらせ、この時に本装置を移動させ、オイル缶を左右両側の突き出しロッド１６と挟み板１７との間に位置させ、この時に昇降モーター４６が起動して後側の鎖歯車４３を回転連動させ、チェーン４４を通じて前側の鎖歯車４３を同期に回転連動させ、さらに昇降スクリュー４５を回転連動させ、昇降スクリュー４５が調節板１８との連結によって上昇し、さらに支持板１４を上昇連動させ、それによって突き出しロッド１６のうち中心に近接した一端がオイル缶の上端面より少し低く、この時に制御モーター２２を逆方向に回転させ、さらに支持板１４を連動させて鉛直状態に戻らせ、この過程において、突き出しロッド１６がオイル缶の上端の凸起部に当接してから突き出しロッド空間２７の中に縮まり、挟み板１７がオイル缶の両側をきつく挟んでから持ち上げ、この時にスライドロッド３０がスライドロッド空間２９の中に縮まり、さらに主動ラック３１を対称中心から離れる方向に移動連動させ、歯車の噛み合いによって第一平歯車３３を回転連動させ、且つ主動傘歯車３５を回転連動させ、歯車の噛み合いによって従動傘歯車３６を回転連動させ、且つスプライン軸３７を回転連動させ、スプラインで連結するによってソケット４１を回転連動させ、且つ第二平歯車４０を回転連動させ、歯車の噛み合いによって従動ラック３８を中心に近接する方向に移動連動させ、さらにパレット２０をオイル缶の下側に相対的に移動連動させ、この時に昇降モーター４６が逆方向に回転し、さらに支持板１４をオイル缶がパレット２０に落ちるまで下降連動させ、この時に本装置を移動させることでオイル缶を運搬できる。
【００２８】
本発明の有益な効果は：本発明はオイル缶を突き上げることときつく挟むことによって、オイル缶を持ち上げるのをもっと安定させられ、またオイル缶の下側を支え、運搬する過程に、オイル缶の安定性を確保し、オイル缶が意外に落ちることで壊れる又は作業員を傷つけることを避け、より安全で信頼でき、同時に四つの車輪が同期に転がるで運搬することによって、運搬過程に小さい人の力だけで本装置を押し動かすことができ、作業強度を大いに軽減する。
【００２９】
上記の方式によって、当業者は本発明の範囲内で作動モードに基づいて様々な変わりを行える。
【要約】
【課題】本発明はオイル缶の運搬用固定治具及び運搬装置を開示した。
【解決手段】
基台を含み、前記基台の下端面の左右両端には固定ブロックが前後対称的に、且つ固定的に設置され、前後両側の前記固定ブロックの間には回転ブロックが回転できるように設置され、前記回転ブロックの下端には支持板が固定的に設置され、前記支持板の相対した片側端面の上端には引きロッドが前後対称的にヒンジで連結され、本発明はオイル缶を突き上げることときつく挟むことによって、オイル缶を持ち上げるのをもっと安定させられ、またオイル缶の下側を支え、運搬する過程に、オイル缶の安定性を確保し、同時に四つの車輪が同期に転がることで運搬することによって、運搬過程に小さい人の力だけで本装置を押し動かすことができ、作業強度を大いに軽減する。
【選択図】図１【図１】
0006764078.tif 000002
【図２】
0006764078.tif 000003
【図３】
0006764078.tif 000004
【図４】
0006764078.tif 000005